(57)【要約】【課題】短マーク信号振幅が非常に小さい場合，あるいは再生信号ノイズが大きい場合，短マーク信号エッジの位相差検出精度が低下し，トラッキングサーボが不安定になる従来のＤＰＤ方式を改善する。【解決手段】位相差パルスに位相差情報が含まれるようにし，かつパルス面積が当該エッジに隣接するマーク／スペースの長さで重み付けすることによって，トラッキング誤差信号への長マーク信号エッジの寄与率を高める。【選択図】図８
2008152847.tif 000002
【特許請求の範囲】
【請求項１】
マーク長が異なる複数のマークによって情報が記録された光ディスクに再生光を照射する工程と，
光ディスクからの反射光を４分割光検出器で受光する工程と，
前記４分割光検出器の対角に位置する分割素子の出力の和信号である第１の再生信号と第２の再生信号とから，前記第１の再生信号と第２の再生信号の位相差情報を含み，面積が前記再生信号のエッジ（信号がゼロレベルを横切る点）に隣接するマーク長の長さが長いほど大きくなるように重み付けされたパルス信号を生成する工程と，
前記パルス信号を所定の期間積算することによって，トラッキング誤差信号を生成する工程と，
前記トラッキング誤差信号を用いてトラッキング制御を行う工程と
を有することを特徴とする光ディスク再生方法。
【請求項２】
請求項１記載の光ディスク再生方法において，前記パルス信号は，信号エッジにおける前記第１の再生信号と前記第２の再生信号の差に比例した高さを持ち，信号エッジに後続するマーク又はスペースの長さに比例した幅を有することを特徴とする光ディスク再生方法。
【請求項３】
請求項１記載の光ディスク再生方法において， 前記パルス信号は，前記第１の再生信号のエッジから次の前記第２の再生信号のエッジまでの幅を有し，前記第１の再生信号のエッジ時刻における前記第２の再生信号の信号レベルとその直前の前記第２の再生信号のエッジ時刻における前記第１の再生信号の信号レベルの和に比例する高さを有することを特徴とする光ディスク再生方法。
【請求項４】
請求項１記載の光ディスク再生方法において，前記パルス信号は，前記第２の再生信号のエッジから次の前記第１の再生信号のエッジまでの幅を有し，前記第２の再生信号のエッジ時刻における前記第１の再生信号の信号レベルとその直前の前記第１の再生信号のエッジ時刻における前記第２の再生信号の信号レベルの差に比例する高さを有することを特徴とする光ディスク再生方法。
【請求項５】
請求項１記載の光ディスク再生方法において，前記パルス信号は，前記第１の再生信号と前記第２の再生信号の平均レベル信号がゼロレベルを横切ってから次に再びゼロレベルを横切るまでの幅を有し，当該パルス信号の起点となる時刻における前記第１の再生信号の信号レベルと前記第２の再生信号の信号レベルの差に比例する大きさを有することを特徴とする光ディスク再生方法。
【請求項６】
光源と，
対物レンズと，
前記光源からの光を前記対物レンズを通して光ディスクに照射する照射光学系と，
４分割光検出器と，
光ディスクによって反射された光を前記対物レンズを通して前記４分割光検出器に入射させる検出光学系と，
前記４分割光検出器の対角に位置する分割素子の出力の和信号である第１の再生信号と第２の再生信号とからトラッキング誤差信号を生成するトラッキング誤差信号生成回路と，
前記トラッキング誤差信号生成回路によって生成されたトラッキング誤差信号によって  前記対物レンズを駆動するレンズアクチュエータとを有し，
前記トラッキング誤差信号生成回路は，前記４分割光検出器の対角に位置する分割素子の出力の和信号である第１の再生信号と第２の再生信号とから，前記第１の再生信号と第２の再生信号の位相差情報を含み，面積が前記再生信号のエッジに隣接するマーク長の長さが長いほど大きくなるように重み付けされたパルス信号を生成し，それを所定の期間積算することによって，トラッキング誤差信号を生成することを特徴とする光ディスク再生装置。
【請求項７】
請求項６記載の光ディスク再生装置において，前記トラッキング誤差信号生成回路は，前記第１の再生信号のエッジから次の前記第２の再生信号のエッジまでの幅を有し，前記第１の再生信号のエッジ時刻における前記第２の再生信号の信号レベルと前記第２の再生信号のエッジ時刻における前記第１の再生信号の信号レベルの和に比例する高さを有するパルス信号を生成することを特徴とする光ディスク再生装置。
【請求項８】
請求項６記載の光ディスク再生装置において，前記トラッキング誤差信号生成回路は，前記第２の再生信号のエッジから次の前記第１の再生信号のエッジまでの幅を有し，前記第２の再生信号のエッジ時刻における前記第１の再生信号の信号レベルとその直前の前記第１の再生信号のエッジ時刻における前記第２の再生信号の信号レベルの差に比例する高さを有するパルス信号を生成することを特徴とする光ディスク再生装置。
【請求項９】
請求項６記載の光ディスク再生装置において，前記トラッキング誤差信号生成回路は，前記第１の再生信号と前記第２の再生信号の平均レベル信号がゼロレベルを横切ってから次に再びゼロレベルを横切るまでの幅を有し，当該パルスの起点となる時刻における前記第１の再生信号の信号レベルと前記第２の再生信号の信号レベルの差に比例する大きさを有するパルス信号を生成することを特徴とする光ディスク再生装置。
【発明の詳細な説明】
【技術分野】
【０００１】
本発明は，光ディスク再生装置において，高密度ディスク再生，あるいは高速再生の際にも，安定したトラッキングサーボを可能にする，トラッキング誤差検出方法及びそれを用いた光ディスク再生装置に関する。
【背景技術】
【０００２】
ＣＤ（Compact Disc）・ＤＶＤ（Digital Versatile Disc）などで知られる光ディスクは，レーザ光をディスクの情報記録面に集光することによって形成される光スポットを用いて情報の記録又は再生を行う情報記録媒体である。高密度光ディスクとして最近実用化されたものに，ＢＤ（Blu-ray Disc）やHD DVDがある。Blu-ray Discに関しては「White Paper: Blu-ray Disc Format-General」に，HD DVDに関しては「DVD Forum技術白書−HD DVDフォーマットの概要−」に，それぞれ詳細に記載されている。
【０００３】
再生専用光ディスク（ＲＯＭ：Read Only Memory）では，情報は，情報記録面上に形成された微小な凹凸（ピット）として記録されており，ピットの有無による光の反射率の変化を検出することによって情報が再生される。ピットはスパイラル状又は同心円状に配列し，記録トラックを形成する。
【０００４】
情報を再生する際には，光スポットを記録トラックに精密に追従（トラッキング）させる必要がある。トラッキングは，光スポットの記録トラック中心からのずれ量（トラッキング誤差）を，光学的手段で検出し，トラッキング誤差がゼロになるように対物レンズをディスク半径方向に駆動することによって行う。
【０００５】
再生専用光ディスクに対するトラッキング誤差検出方法としては，３スポット法，又はＤＰＤ方式（Differential Phase Detection）などがあるが，最近のドライブ装置では，複数種類のディスク規格に対応できるように，トラックピッチの違いに影響されることのないＤＰＤ方式が用いられることが多い。
【０００６】
従来のＤＰＤ方式によるトラッキング誤差検出の原理を，図１を用いて説明する。図１は，再生専用ディスクを再生している時の，ピット，光スポット及び４分割光検出器上の光強度分布の様子を示している。光スポットがピット上にある時，４分割光検出器上には，ピットによる回折光の内，０次回折光と±１次回折光が干渉して光強度の小さい領域ができる。
【０００７】
ここで４分割光検出器の各分割要素Ａ，Ｂ，Ｃ及びＤの内，互いに対角に位置する分割要素の出力電流の和（ＩA＋ＩC）及び（ＩB＋ＩD）を考える。光スポットがピット列のちょうど中心を通っている場合，（ＩA＋ＩC）と（ＩB＋ＩD）の間に位相差は生じない。ところが，光スポットがピット列の中心線からずれると（オフトラック），ピットのエッジ（光スポット進行方向の前後の端）を通過する時の上記干渉部分は，４分割光検出器の対角方向に対をなすようになるため，（ＩA＋ＩC）と（ＩB＋ＩD）の間に位相差が生じる。図１に示されるように，位相差の符号は，オフトラックの方向によって異なり，位相差の大きさはオフトラック量に概ね比例する。
【０００８】
次に，従来のＤＰＤ方式によるトラッキング誤差信号生成方法の一例を，図２のブロック図，及び図３の信号波形図を用いて説明する。対角和信号（ＩA＋ＩC）及び（ＩB＋ＩD）はそれぞれアンプで増幅されてＡ１及びＡ２となる。Ａ１及びＡ２はそれぞれイコライザによって短マーク信号の振幅が相対的に増幅される。続いて各信号はレベル比較器によって二値化されて信号Ｂ１及びＢ２となる。Ｂ１及びＢ２は位相比較器に入力され，両者の信号のエッジ（信号がゼロレベルを横切る点）の位相差が検出される。位相比較器は，Ｂ１の位相がＢ２に対して進んでいる時にＣ１に位相差パルスを出力する。一方，Ｂ２の位相がＢ１に対して進んでいる時にはＣ２に位相差パルスを出力する。位相差パルスの高さは一定であり，幅はＢ１とＢ２の位相差の絶対値に等しい。Ｃ１及びＣ２はそれぞれローパスフィルタ（ＬＰＦ）によって所定の時定数で積分され，それぞれの信号の差分がトラッキング誤差信号となる。
【０００９】
【非特許文献１】White Paper: Blu-ray Disc Format-General
【非特許文献２】DVD Forum技術白書−HD DVDフォーマットの概要−
【発明の開示】
【発明が解決しようとする課題】
【００１０】
ここで，従来のＤＰＤ方式によるトラッキング誤差検出の課題を指摘する。図４は，再生専用光ディスクの再生信号を模式的に示した図である。この例では，８Ｔマーク，２Ｔスペース，２Ｔマーク，及び８Ｔスペースの順に並んでいるピットを再生している。ここで，Ｔはチャネルビット周期である。８Ｔのような長マークの再生信号のエッジでは，その勾配が大きいのに対して，２Ｔのような短マークの場合には光学分解能の不足により信号振幅が低下し，エッジの勾配が小さくなる。特に，最近実用化されたＢＤ（Blu-ray Disc）やHD DVDのような高密度光ディスクでは，短マークの信号振幅が非常に小さくエッジの勾配が小さいため，ノイズや信号レベル変動等の影響によって位相差検出精度が低下し，トラッキングサーボが不安定になる。
【００１１】
また，データを高速で再生する場合においては，ドライブ装置の電気回路の信号伝送帯域不足により，周波数の高い短マーク信号の振幅が低下し，高密度光ディスクの再生の場合と同様の問題が生じる。
【００１２】
実用化されている主な光ディスク（ＣＤ，ＤＶＤ，ＢＤ，HD DVD）のいずれにおいても，マークエッジ記録方式が用いられており，データ効率を高めて記録容量を向上させるために，マーク長が短いほど，その存在割合が多くなるようにデータが変調されて記録されている。すなわち再生信号の総エッジ数に占める短マーク信号エッジの割合が大きい。
【００１３】
このため，従来のＤＰＤ方式によるトラッキング誤差検出方法の場合，トラッキング誤差信号への短マーク信号エッジの寄与率が高く，上記のような理由で，高密度光ディスク再生時や高速再生時にトラッキングサーボが不安定になる問題があった。
【００１４】
そこで，本発明は，不安定な短マーク信号エッジの影響を低減して，安定なトラッキングサーボを可能にするトラッキング誤差検出方法及びそれを用いた光ディスク再生装置を提供することを目的とする。
【課題を解決するための手段】
【００１５】
本発明では以下のような方法を用いてトラッキング誤差信号を生成する。本発明では，トラッキング誤差信号への短マーク信号エッジの寄与率を小さくし，長マーク信号エッジの寄与率を大きくするために，ＤＰＤトラッキング誤差信号を生成する過程で出力される位相差パルスの高さ又は幅を，当該エッジに隣接するマーク／スペースの長さで重み付けする。すなわち，当該エッジに隣接するマーク／スペースの長さが長い程，位相差パルスの高さ又は幅が大きくなるようにする。ＤＰＤ方式におけるトラッキング誤差信号は，位相差パルスを所定の時定数で積算したものであるから，上記のようにすることで，トラッキング誤差信号への長マーク信号エッジの寄与率を相対的に大きくすることができる。
【００１６】
本発明を実現する方式として，次の２つの方式が考えられる。
(1) 第１の方式：位相差パルスの高さを当該エッジに隣接するマーク／スペースの長さで重み付けする方式
この方式では，位相差パルスの高さが当該信号エッジの勾配に概ね比例するようにする。先に述べたように，信号エッジの勾配は，そのエッジに隣接するマーク／スペースの長さが長い程大きい。このため，より安定な長マーク信号エッジにおける位相差パルス程，その高さが大きくなるようにする。
【００１７】
(2) 第２の方式：位相差パルスの幅を当該エッジに後続するマーク／スペースの長さに応じて重み付けする方式
本方式では，マーク／スペースの長さに等しい幅の位相差パルスを出力する。すなわち，あるエッジからその次のエッジまでの期間，位相差パルスを出力するようにする。こうすることで，長マークのエッジを起点とする位相差パルスの方が，短マークのエッジを起点とする位相差パルスよりパルス幅が大きくなる。しかしながら，この場合，位相差パルスの高さを一定にすると，位相差パルスに位相差情報が含まれなくなってしまうため，パルス高さに関しては，第１の構成と同じようにエッジ傾きに概ね比例するようにする。
【００１８】
以上，本発明のトラッキング誤差信号生成方法を，位相差パルスの高さ及び幅に含まれる情報としてまとめると，図９のようになる。
【００１９】
従来のＤＰＤ方式の場合，パルス高さは一定であるから，パルス高さには情報は含まれていない。パルス幅はＡ１とＡ２の位相差そのものである。
【００２０】
第１の方式，位相差パルスの高さを当該信号エッジの勾配で重み付けする方式の場合，パルス高さには，Ａ１とＡ２の位相差情報及びマーク長情報が含まれている。パルス幅は位相差そのものである。
【００２１】
第２の方式，位相差パルスの幅を当該信号エッジに後続マーク／スペースの長さで重み付けする方式の場合，パルス幅はマーク／スペースの長さそのものであり，パルス高さに関しては，第１の方式と同様である。
【００２２】
以上のように，第１の方式及び第２の方式共に，位相差パルスに位相差情報が含まれるようにし，かつパルス面積を当該エッジに隣接するマーク／スペースの長さで重み付けすることによって，トラッキング誤差信号への長マーク信号エッジの寄与率が大きくなり，先に述べた従来のＤＰＤトラッキング方式における位相差検出精度の課題が解決される。
【発明の効果】
【００２３】
本発明によると，トラッキング誤差信号が安定し，高密度ディスク再生時，あるいは高速再生時にも，安定したトラッキングサーボが可能になる。
【発明を実施するための最良の形態】
【００２４】
以下、本発明の実施の形態について説明する。
【実施例１】
【００２５】
図５は，本発明を採用した光ディスク再生装置の構成例を示す図である。
レーザダイオード１０１から発生した直線偏光のレーザ光１０２は，コリメートレンズ１０３によって平行光束となり，偏光ビームスプリッタ１０４に入射する。偏光ビームスプリッタ１０４は，ある方向の直線偏光をほぼ損失無く透過させ，それに垂直の方向の直線偏光をほぼ損失無く反射させる性質を持つ光学素子である。偏光ビームスプリッタ１０４は，レーザダイオード１０１から発生したレーザ光１０２をほぼ損失なく透過させるように配置されている。偏光ビームスプリッタ１０４を透過したレーザ光１０２は，ハーフミラー１０５で反射して垂直に方向を変える。ハーフミラー１０５は，入射するレーザ光のごく一部を透過するようになっており，透過したレーザ光１０２は，前方に位置するフロントモニタレンズ１０６によって集光され，さらに前方に位置するフロントモニタ１０７に入射する。フロントモニタ１０７は，入射したレーザ光のパワーに比例した電流を出力する。フロントモニタ１０７が出力する電流は，通常，レーザダイオード１０１が出力するパワーを監視して，パワー制御を行うために用いられる。ハーフミラー１０５で反射したレーザ光１０２は，λ／４板１０８を通ることで円偏光に変化する。円偏光に変化したレーザ光１０２は対物レンズ１０９で集光され，光ディスク１１０に入射する。
【００２６】
光ディスク１１０の情報記録面１１１で反射されたレーザ光１０２は，再び対物レンズ１０９を通り，λ／４板１０８を通ることで直線偏光に戻る。この時，その偏光方向は往路の偏光方向に対して垂直の方向になっている。このため，ハーフミラー１０５で反射した後，レーザ光１０２は偏光ビームスプリッタ１０４でほぼ損失なく反射される。その後レーザ光１０２は，検出レンズ１１２によって集光され，光検出器１１３に入射する。
【００２７】
光検出器１１３は，図１に示したような４分割光検出器であり，その出力は再生信号生成回路１１４，トラッキング誤差信号生成回路１２０，フォーカス誤差信号生成回路１２１で処理され，それぞれの回路から再生信号，トラッキング誤差信号，フォーカス誤差信号が生成される。トラッキング誤差信号とフォーカス誤差信号はレンズアクチュエータ１２２に供給され，対物レンズ１０９をトラック幅方向及びフォーカス方向に駆動してトラッキング制御とフォーカス制御が行われる。上述の光ディスク１１０を除く構成は，通常，光学系として，光ピックアップによって実現されている。４分割光検出器の４つの分割素子の出力の和信号である再生信号は，制御部の信号処理回路１１５，復号回路１１６で処理されユーザデータとなり，マイクロプロセッサ１１７を介して上位装置に転送される。マイクロプロセッサ１１７は，また，フロントモニタ１０７の出力を監視して，それが所定値となるようにレーザ駆動回路１１８を制御する。
【００２８】
次に，トラッキング誤差信号生成回路１２０の構成例を，図６を用いて説明する。図６（ａ）は４分割光検出器の２種類の対角和信号Ａ１＝（ＩA＋ＩC）及びＡ２＝（ＩB＋ＩD）と，それから生成されるパルス信号を表す波形図，図６（ｂ）は図６（ａ）に示したパルスを生成する回路の構成例を示す図である。
【００２９】
本実施例における位相差パルス生成回路は，二値化回路，サンプルホールド回路，加算回路，スイッチ回路及び減算回路から構成される。二値化回路６３及び６６は，入力信号の二値化信号を出力する。二値化回路６４及び６５は，入力信号の二値化信号のレベル反転信号を出力する。サンプルホールド回路（Ｓ／Ｈ）６７，６８，６９及び６１０は，サンプルホールド信号Ａのエッジにおける入力信号Ｄのレベルを，サンプルホールド信号Ａの次のエッジまで保持する。スイッチ回路６１３及び６１４は，信号Ａ及びＢの両方がHighレベル（Ｈ）の場合に入力信号Ｄそのものを出力し，それ以外の場合にはゼロを出力する。減算回路６１５は，スイッチ回路６１３の出力とスイッチ回路６１４の差信号を出力する。
【００３０】
図６（ａ）に示すように，本構成において，位相差パルスは，信号Ａ１のエッジから次の信号Ａ２のエッジまでの期間，出力される。すなわち位相差パルスの幅は，信号Ａ１と信号Ａ２の位相差の絶対値に等しい。パルス高さは信号Ａ１のエッジ時刻（ゼロレベルを横切る時刻）における信号Ａ２の信号レベルと，信号Ａ２のエッジ時刻における信号Ａ１の信号レベルの和である。
【００３１】
図６（ａ）のように，対角和信号Ａ１，Ａ２が負から正の方向にゼロレベルを横切るとき，対角和信号Ａ１のエッジ時刻における対角和信号Ａ２の信号レベルをｐ，信号Ａ２のエッジ時刻における信号Ａ１の信号レベルをｑとし，対角和信号Ａ１，Ａ２が正から負の方向にゼロレベルを横切るとき，信号Ａ１のエッジ時刻における信号Ａ２の信号レベルをｒ，信号Ａ２のエッジ時刻における信号Ａ１の信号レベルをｓとする。
【００３２】
このとき，対角和信号が負から正の方向にゼロレベルを横切るとき，信号Ａ１のエッジから次の位相遅れした信号Ａ２のエッジまでの期間，パルス６１が発生される。このパルス６１の信号レベルは，パルス開始時の信号Ａ１のエッジ時刻における信号Ａ２の信号レベルｐと信号Ａ２のその直前のエッジ時刻における信号Ａ１の信号レベルｓの和（ｓ＋ｐ）である。また，対角和信号が正から負の方向にゼロレベルを横切るとき，信号Ａ１のエッジから次の信号Ａ２のエッジまでの期間，パルス６２が発生される。このパルス６２の信号レベルは，パルス開始時の信号Ａ１のエッジ時刻における信号Ａ２の信号レベルｒと信号Ａ２のその直前のエッジ時刻における信号Ａ１の信号レベルｑの和（ｑ＋ｒ）である。この２つのパルスは符号が異なるため，トラッキング誤差信号は，この２つのパルス，すなわち信号レベル（ｓ＋ｐ）のパルス６１と信号レベル（ｑ＋ｒ）のパルス６２を差動増幅し，それを所定期間積算して生成される。
【実施例２】
【００３３】
実施例１の基本構成を基に，トラッキング誤差信号生成部のみ別の構成とした実施例を，図７を用いて説明する。図７（ａ）は４分割光検出器の２種類の対角和信号Ａ１＝（ＩA＋ＩC）及びＡ２＝（ＩB＋ＩD）と，それから生成されるパルス信号を表す波形図，図７（ｂ）は図７（ａ）に示したパルスを生成する回路の構成例を示す図である。
【００３４】
本実施例における位相差パルス生成回路は，二値化回路，サンプルホールド回路，スイッチ回路及び減算回路から構成される。二値化回路，サンプルホールド回路，加算回路及びスイッチ回路の動作は，実施例１の場合と同様である。
【００３５】
本構成において，位相差パルスは，Ａ２の信号エッジから次のＡ１の信号エッジまでの期間，出力される。すなわち，位相差パルスの幅は，当該エッジに後続するマーク／スペースの長さに概ね等しい。一方，位相差パルスの高さについては，位相差パルスの起点となるＡ２の信号エッジにおけるＡ１の信号レベルと，そのひとつ前のＡ１の信号エッジにおけるＡ２の信号レベルの差である。
【００３６】
図７（ａ）に示すように，図６（ａ）と同様に信号レベルｐ，ｑ，ｒ，ｓを定める。本実施例では，対角和信号が負から正の方向にゼロレベルを横切るとき，信号Ａ２のエッジから次の信号Ａ１のエッジまでの期間，パルス７１が発生される。このパルス７１の信号レベルは（ｐ−ｑ）である。また，対角和信号が正から負の方向にゼロレベルを横切るとき，信号Ａ２のエッジから次の信号Ａ１のエッジまでの期間，パルス７２が発生される。このパルスの信号レベルは（ｒ−ｓ）である。この２つのパルスは符号が異なるため，トラッキング誤差信号は，この２つのパルス，すなわち信号レベル（ｐ−ｑ）のパルス７１と信号レベル（ｒ−ｓ）のパルス７２を差動増幅し，それを所定期間積算して生成される。
【実施例３】
【００３７】
実施例１の基本構成を基に，トラッキング誤差信号生成部のみ別の構成とした実施例を，図８を用いて説明する。図８（ａ）は４分割光検出器の２種類の対角和信号Ａ１＝（ＩA＋ＩC）及びＡ２＝（ＩB＋ＩD）と，それから生成されるパルス信号を表す波形図，図８（ｂ）は図８（ａ）に示したパルスを生成する回路の構成例を示す図である。
【００３８】
本実施例における位相差パルス生成回路は，二値化回路，サンプルホールド回路，加算回路，スイッチ回路及び減算回路から構成される。二値化回路，サンプルホールド回路，減算回路，加算回路の動作は，実施例１の場合と同様である。スイッチ回路８１３及び８１４は，信号ＡがHighレベルの場合に入力信号そのものを出力し，信号ＡがLowレベルの場合にゼロを出力する。
【００３９】
本構成では，信号Ａ１と信号Ａ２の平均レベル信号Ａ３を用い，位相差パルスは，信号Ａ３のエッジから次の信号Ａ３のエッジまでの期間，出力される。位相差パルスの高さについては，信号Ａ３の当該エッジにおけるＡ２信号レベルとＡ１信号レベルの差である。
【００４０】
図８（ａ）に図示するように，対角和信号が負から正の方向にゼロレベルを横切るとき，信号Ａ３のエッジ時刻における信号Ａ１のレベルをｑ，信号Ａ２のレベルをｐとし，対角和信号が正から負の方向にゼロレベルを横切るとき，信号Ａ３のエッジ時刻における信号Ａ１のレベルをｓ，信号Ａ２のレベルをｒとする。このとき，信号Ａ３が正の期間，信号レベル（ｐ−ｑ）のパルス８１が発生される。また，信号Ａ３が負の期間，信号レベル（ｒ−ｓ）のパルス８２が発生される。この２つのパルスは符号が異なるため，トラッキング誤差信号は，この２つのパルス，すなわち信号レベル（ｐ−ｑ）のパルス８１と信号レベル（ｒ−ｓ）のパルス８２を差動増幅し，それを所定期間積算して生成される。
【図面の簡単な説明】
【００４１】
【図１】従来のＤＰＤ方式の原理を示した図。
【図２】従来のＤＰＤ方式によるトラッキング誤差信号生成ブロックを示した図。
【図３】従来のＤＰＤ方式によるトラッキング誤差信号生成過程の信号波形を示した図。
【図４】再生信号とそのエッジ勾配を示した図。
【図５】本発明を採用した光ディスク再生装置の模式図。
【図６】本発明の実施例１におけるトラッキング誤差信号生成方法を示した図。
【図７】本発明の実施例２におけるトラッキング誤差信号生成方法を示した図。
【図８】本発明の実施例３におけるトラッキング誤差信号生成方法を示した図。
【図９】トラッキング誤差信号生成方式と，位相差パルスの高さ及び幅に含まれる情報との関係を示す図。
【符号の説明】
【００４２】
６１，６２：位相差パルス
６３，６４，６５，６６：二値化回路
６７，６８，６９，６１０：サンプルホールド回路
１０１：レーザダイオード
１０２：レーザ光
１０３：コリメートレンズ
１０４：偏光ビームスプリッタ
１０５：ハーフミラー
１０６：フロントモニタレンズ
１０７：フロントモニタ
１０８：λ／４板
１０９：対物レンズ
１１０：光ディスク
１１１：情報記録面
１１２：検出レンズ
１１３：４分割光検出器
１１４：再生信号生成回路
１１５：信号処理回路
１１６：復号回路
１１７：マイクロプロセッサ
１１８：レーザ駆動回路
１２０：トラッキング誤差信号生成回路
１２１：フォーカス誤差信号生成回路
１２２：レンズアクチュエータ
６１１，６１２：加算回路
６１３，６１４：スイッチ回路
６１５：減算回路
８１３，８１４：スイッチ回路
【図１】
2008152847.tif 000003
【図２】
2008152847.tif 000004
【図３】
2008152847.tif 000005
【図４】
2008152847.tif 000006
【図５】
2008152847.tif 000007
【図６】
2008152847.tif 000008
【図７】
2008152847.tif 000009
【図８】
2008152847.tif 000010
【図９】
2008152847.tif 000011